(57)【要約】  本発明の無針無痛注射装置は、バルブボディと、前記バルブボディの内部空間に備えられ、外縁に前記バルブボディの内壁に気密に摺動するバルブ部材と、一端部が前記バルブボディに着脱可能に結合され、他端部に構成されたノズル部が開放された状態で前記バルブボディの内部空間と連通する液化ガス容器と、前記バルブボディから露出する前記バルブ部材の端部に備えられる操作ノブと、前記バルブボディの一側に結合され、長手方向に内部空間を有するシリンダボディと、一端部が前記シリンダボディの内部空間にスライド移動可能に備えられ、前記一端部からピストンロッドが備えられるピストン部材と、前記ピストンロッドに結合される注射液ピストンロッドを備える注射液ユニットと、前記バルブボディとシリンダボディおよび外気側とを選択的に連通および閉鎖させるガス流路形成手段と、を含む。【選択図】図２
2021524798.tif 000002
【特許請求の範囲】
【請求項１】
長手方向に内部空間を有するバルブボディと、
前記バルブボディの内部空間にスライド移動可能に備えられ、外縁に前記バルブボディの内壁に気密に摺動する複数の突起部が形成されるバルブ部材と、
一端部が前記バルブボディに着脱可能に結合され、他端部に構成されたノズル部が開放された状態で前記バルブボディの内部空間と連通する液化ガス容器と、
前記バルブボディから露出する前記バルブ部材の端部に備えられる操作ノブと、
前記バルブボディの一側に結合され、一端部が閉鎖され、長手方向に内部空間を有するシリンダボディと、
一端部が前記シリンダボディの内部空間に気密に接触しながらスライド移動可能に備えられ、前記一端部からピストンロッドが備えられるピストン部材と、
前記シリンダボディに着脱可能に結合され、前記ピストンロッドに接触または凹溝結合される注射液ピストンロッドを備える注射液ユニットと、
前記液化ガス容器から噴出されたガスの充填および前記操作ノブの押し操作によって前記バルブボディの内部空間とシリンダボディの内部空間および外気側とを選択的に連通および閉鎖させてピストン部材を進退動作させるガス流路形成手段と、を含むことを特徴とする
無針無痛注射装置。
【請求項２】
前記バルブボディとシリンダボディとは、ハウジングによってカバーされて一体化され、
前記バルブ部材は、一端から中心部に沿って長手方向に所定長さの長溝が形成され、他端部が前記バルブボディの外側に延びて備えられ、
前記バルブ部材の外縁に形成される突起部は、中央部から半径方向外側に突出する複数の第１延長フランジ部と、前記液化ガス容器に対向する側の端部から半径方向外側に突出する複数の第２延長フランジ部と、前記第１延長フランジ部と第２延長フランジ部それぞれによって形成される装着溝に備えられ、前記バルブボディの内面に滑り接触しながら気密性を維持するための滑りシール部材とを含んでなることを特徴とする
請求項１に記載の無針無痛注射装置。
【請求項３】
前記ガス流路形成手段は、
前記バルブボディの内部空間と外気側とを連通させる第１連通穴と、
前記バルブボディの内部空間とバルブ部材の長溝との間を連通させるように前記バルブ部材に形成される第２連通穴と、
前記バルブボディの一側に形成され、前記バルブ部材のスライド移動に伴って前記バルブボディの一側の内部空間と連通または閉鎖関係をなすように形成される第１開閉連通路と、
前記バルブボディの他側に形成され、前記バルブ部材のスライド移動に伴って前記バルブボディの他側の内部空間と前記第１連通穴とが連通または閉鎖関係をなすように形成される第２開閉連通路と、
前記第１開閉連通路とシリンダボディの他側の内部空間とを連通させるように前記シリンダボディに形成される流入連通路と、
前記第２開閉連通路とシリンダボディの一側の内部空間とを連通させるように前記シリンダボディとバルブボディに形成される排出連通路とを含むことを特徴とする
請求項２に記載の無針無痛注射装置。
【請求項４】
前記ピストン部材は、前記シリンダボディの内壁に接触しながらスライド移動するピストンロッドと、前記ピストンロッドから延びるピストンヘッドと、前記ピストンヘッドの外縁に備えられ、前記シリンダボディの内面に滑り接触しながら気密性を維持するための滑りシール部材とを含み、
前記注射液ユニットは、注射液ピストンロッドを有する注射器と、一端部は前記注射器が結合され、他端部は前記シリンダボディに着脱可能に結合される注射器結合部を有するロッド保護キャップとを含み、
前記シリンダボディと前記ロッド保護キャップとは、バヨネットマウント（ｂａｙｏｎｅｔ  ｍｏｕｎｔｉｎｇ）結合方式で結合されるように構成されることを特徴とする
請求項１に記載の無針無痛注射装置。
【請求項５】
前記ピストン部材は、前記ピストンヘッドの両面の少なくとも一面の端に備えられるクッション部材をさらに含むことを特徴とする
請求項４に記載の無針無痛注射装置。
【発明の詳細な説明】
【技術分野】
【０００１】
本発明は、無針無痛注射装置に関し、さらに詳しくは、空圧による注射薬物の瞬間的注入時、注射薬物を迅速に注入するのに十分な加圧力を有しかつ、発生騒音は著しく低減可能で、乳児などの被施術者に騒音による影響を最小化し、特に衝撃騒音によって死ぬこともある小さい鳥類動物などの動物への施術にも非常に有用に利用できる無針無痛注射装置に関する。
【背景技術】
【０００２】
一般的に、注射器は看護婦や医師が患者の体に直接薬を投入するために使うツールとされる。
【０００３】
図１は、一般的な注射器を示す構成図である。通常の注射器は、図１に示すように、１つの注射針１を具備し、ピストン２を押してシリンダ３内の薬品を患者に投入する。
【０００４】
しかし、１日にも数回にわたって注射を打たれる利用者、例えば、糖尿患者の場合は、病院ではない家庭での療養中にも随時注射されなければならないが、この時、一般注射器（針の挟まれた外筒と押し子とのみからなる注射器）を用いて注射するのはもちろん、本人が自ら自分の体に注射を打たなければならないという困難がある。
【０００５】
また、一般患者の場合も、自ら注射を打とうとする場合、および動きの激しい子供に注射する場合も、注射技術に優れていなければ注射を打つのに大きな困難があり、太い針の場合は、皮膚を貫通する時の苦痛を解決できない問題点がある。
【０００６】
一方、このような問題点を解決するための一環として、一般注射器をスリーブ内に弾挿させてスプリングの弾力や空気圧による瞬間注射が行われるようにする注射器や、注射針の代わりに細い穴（約０．１ｍｍ径）を注射器の先端に設け、注射器の後方から圧力を作用させて注射液を皮膚に浸透させることが可能な無痛注射器が提案されている。
【０００７】
しかし、このような従来の無痛注射器は、一例として、スプリング弾撥方式でピストンを打撃する無痛注射器の場合、瞬間打撃をするためのスプリングの圧縮装填時に、これを圧縮させるための非常に大きな力が必要になり、別の装填ジグ（ｊｉｇ）を用いなければならなかったが、これは、圧縮装填時に、装填ジグを毎度結合させて装填後、分離してから用いなければならないため、使用に際して非常に煩わしく、時間が多くかかる問題点があった。
【０００８】
また、従来のスプリング弾撥方式の無痛注射器は、打撃塊が一度打撃すれば一度に注射液が注入される方式で、皮膚美容など若干の注射液の数回にわたる注射の場合に適用できない問題点があり、スプリング打撃時に発生する打撃音が大きく発生して被施術者に不快感を与え、特に音に非常に敏感な幼い鳥類などの動物の場合には打撃音によって死にいたるようなことが発生する。
【０００９】
一方、従来の無痛注射器の他の例として、空気押出方式でピストンを打撃する無痛注射器の場合、ピストンを打撃するのに十分な押出力を有することができず、押出経路における圧縮ガスの押出により大きな打撃音が発生して不快感などの問題点を誘発する。
【発明の概要】
【発明が解決しようとする課題】
【００１０】
本発明は、空圧による注射薬物の瞬間的注入時、注射薬物を迅速に注入するのに十分な加圧力を有しかつ、発生騒音は著しく低減可能で、乳児などの被施術者に騒音による影響を最小化し、特に衝撃騒音によって死ぬこともある小さい鳥類動物などの動物への施術にも非常に有用に利用できる無針無痛注射装置を提供することを目的とする。
【課題を解決するための手段】
【００１１】
上記の本発明の目的および他の特徴を達成するための、本発明の一観点によれば、長手方向に内部空間を有するバルブボディと、前記バルブボディの内部空間にスライド移動可能に備えられ、外縁に前記バルブボディの内壁に気密に摺動する複数の突起部が形成されるバルブ部材と、一端部が前記バルブボディに着脱可能に結合され、他端部に構成されたノズル部が開放された状態で前記バルブボディの内部空間と連通する液化ガス容器と、前記バルブボディから露出する前記バルブ部材の端部に備えられる操作ノブと、前記バルブボディの一側に結合され、一端部が閉鎖され、長手方向に内部空間を有するシリンダボディと、一端部が前記シリンダボディの内部空間に気密に接触しながらスライド移動可能に備えられ、前記一端部からピストンロッドが備えられるピストン部材と、前記シリンダボディに着脱可能に結合され、前記ピストンロッドに接触または凹溝結合される注射液ピストンロッドを備える注射液ユニットと、前記液化ガス容器から噴出されたガスの充填および前記操作ノブの押し操作によって前記バルブボディの内部空間とシリンダボディの内部空間および外気側とを選択的に連通および閉鎖させてピストン部材を進退動作させるガス流路形成手段と、を含むことを特徴とする無針無痛注射装置が提供される。
【００１２】
本発明において、前記バルブボディとシリンダボディとは、ハウジングによってカバーされて一体化され、前記バルブ部材は、一端から中心部に沿って長手方向に所定長さの長溝が形成され、他端部が前記バルブボディの外側に延びて備えられ、前記バルブ部材の外縁に形成される突起部は、中央部から半径方向外側に突出する複数の第１延長フランジ部と、前記液化ガス容器に対向する側の端部から半径方向外側に突出する複数の第２延長フランジ部と、前記第１延長フランジ部と第２延長フランジ部それぞれによって形成される装着溝に備えられ、前記バルブボディの内面に滑り接触しながら気密性を維持するための滑りシール部材とを含んでなる。
【００１３】
本発明において、前記ガス流路形成手段は、前記バルブボディの内部空間と外気側とを連通させる第１連通穴と、前記バルブボディの内部空間とバルブ部材の長溝との間を連通させるように前記バルブ部材に形成される第２連通穴と、前記バルブボディの一側に形成され、前記バルブ部材のスライド移動に伴って前記バルブボディの一側の内部空間と連通または閉鎖関係をなすように形成される第１開閉連通路と、前記バルブボディの他側に形成され、前記バルブ部材のスライド移動に伴って前記バルブボディの他側の内部空間と前記第１連通穴とが連通または閉鎖関係をなすように形成される第２開閉連通路と、前記第１開閉連通路とシリンダボディの他側の内部空間とを連通させるように前記シリンダボディに形成される流入連通路と、前記第２開閉連通路とシリンダボディの一側の内部空間とを連通させるように前記シリンダボディとバルブボディに形成される排出連通路とを含むことができる。
【００１４】
本発明において、前記ピストン部材は、前記シリンダボディの内壁に接触しながらスライド移動するピストンロッドと、前記ピストンロッドから延びるピストンヘッドと、前記ピストンヘッドの外縁に備えられ、前記シリンダボディの内面に滑り接触しながら気密性を維持するための滑りシール部材とを含み、前記注射液ユニットは、注射液ピストンロッドを有する注射器と、一端部は前記注射器が結合され、他端部は前記シリンダボディに着脱可能に結合される注射器結合部を有するロッド保護キャップとを含み、前記シリンダボディと前記ロッド保護キャップとは、バヨネットマウント（ｂａｙｏｎｅｔ  ｍｏｕｎｔｉｎｇ）結合方式で結合されるように構成される。
【００１５】
本発明において、前記ピストン部材は、前記ピストンヘッドの両面の少なくとも一面の端に備えられるクッション部材をさらに含むことが好ましい。
【発明の効果】
【００１６】
本発明による無針無痛注射装置によれば、空圧による注射薬物の瞬間的注入時、注射薬物を迅速に注入するのに十分な加圧力を有しかつ、発生騒音は著しく低減できる効果がある。
【００１７】
また、本発明は、乳児などの被施術者に騒音による影響を最小化し、特に衝撃騒音によって死ぬこともある小さい鳥類動物などの動物への施術にも非常に有用に利用できる効果がある。
【００１８】
さらに、本発明は、使用が便利で、打撃駆動源の効率的な利用が可能であり、人間および動物の医療のみならず、皮膚美容など多方面に利用可能で活用性を向上させることができる効果がある。
【図面の簡単な説明】
【００１９】
【図１】一般的な注射器を示す構成図である。
【図２】本発明による無針無痛注射装置を示す斜視図である。
【図３】本発明による無針無痛注射装置を示す側面図である。
【図４】本発明による無針無痛注射装置を示す平面図である。
【図５】図４のＡ−Ａ線に沿った断面図である。
【発明を実施するための形態】
【００２０】
本発明のさらなる目的、特徴および利点は、以下の詳細な説明および添付図面からより明瞭に理解される。
【００２１】
また、添付図面を参照して説明するにあたり、図面符号に関係なく同一の構成要素は、同一の参照符号を付し、これに関する重複した説明は省略する。本発明を説明するにあたり、かかる公知技術に関する具体的な説明が本発明の要旨を不必要にあいまいにしうると判断された場合、その詳細な説明を省略する。
【００２２】
以下、本発明の好ましい実施例による無針無痛注射装置について、図２〜図５を参照して説明する。図２は、本発明による無針無痛注射装置を示す斜視図であり、図３は、本発明による無針無痛注射装置を示す側面図であり、図４は、本発明による無針無痛注射装置を示す平面図であり、図５は、図４のＡ−Ａ線に沿った断面図である。以下の構成の説明において一端や一側および他端や他側の意味は、それぞれ図面を基準として右側と左側を区分するための用語であり、一端や他端の表現は各端部側を区分するためのものである。
【００２３】
本発明による無針無痛注射装置は、図２〜図５に示すように、長手方向に内部空間１０１を有するバルブボディ１００と、バルブボディ１００の内部空間にスライド移動可能に備えられ、一端から中心部に沿って長手方向に所定長さの長溝２０１が形成され、他端部がバルブボディ１００の他端部外側に延びて備えられ、外縁にバルブボディ１００の内壁に摺動する複数の突起部が形成されるバルブ部材２００と、バルブボディ１００の一端部に着脱可能に結合され、他端部に構成されたノズル部が開放された状態で前記バルブボディ１００の内部空間と連通する液化ガス容器３００と、バルブボディ１００の露出端部である他端部に備えられる操作ノブ３１０と、前記バルブボディ１００の一側に結合され、一端部が閉鎖され、長手方向に内部空間４０１を有するシリンダボディ４００と、他端部がシリンダボディ４００の内部空間４０１に気密に接触しながらスライド移動可能に備えられ、一端部にピストンロッド５１０が備えられるピストン部材５００と、シリンダボディ４００の一端部に着脱可能に結合され、ピストンロッド５１０に接触または凹溝結合される注射液ピストンロッド６１０を備える注射液ユニット６００と、液化ガス容器３００から噴出されたガスの充填および前記操作ノブ３１０の押し操作によってバルブボディ１００の内部空間１０１とシリンダボディ４００の内部空間４０１および外部（外気側）とを選択的に連通および閉鎖させてピストン部材５００を進退動作させるガス流路形成手段と、を含む。
【００２４】
バルブボディ１００とシリンダボディ４００とは、ケースまたはハウジング１０によってカバーされて一体化される。
【００２５】
ここで、ケースまたはハウジング１０には、使用者の容易な把持のために、一側に複数の把持溝１１が形成されることが好ましい。図面では、ケースまたはハウジング１０の下部側に把持溝１１が形成される場合を示している。
【００２６】
バルブボディ１００は、バルブ部材２００の長さよりも長さの長い内部空間１０１（例えば、円形の内部空間）を有し、該内部空間１０１の他端部は外部と連通し、一端部には液化ガス容器３００のノズル部が着脱可能に結合される結着具１０２が形成される。
【００２７】
ここで、バルブボディ１００の一端部には、中央部がバルブ部材２００の一端部をスライド可能に支持するバルブキャップ１０３で仕上げられる。
【００２８】
バルブボディ１００には、そのバルブボディ１００の内部空間１０１と外部（外気側）とを連通させる第１連通穴８０１（図４参照）が形成される。バルブボディ１００に形成される連通穴８０１は、後述するガス流路形成手段を構成する構成要素であり、その連通関係は、以下のガス流路形成手段の説明で説明する。
【００２９】
バルブ部材２００は、円柱状のボディ部を有し、前記円柱状の中央部に一端面から中心部に沿って所定長さの長溝２０１が形成される。該長溝２０１の他端部は閉鎖されて形成される。
【００３０】
そして、バルブ部材２００の外縁に形成される突起部は、中央部から半径方向外側に突出する複数の第１延長フランジ部２１０と、一端部から半径方向外側に突出する複数の第２延長フランジ部２２０と、前記第１延長フランジ部２１０と第２延長フランジ部２２０それぞれによって形成される装着溝に備えられ、バルブボディ１００の内面に滑り接触しながら気密性を維持するための滑りシール部材（例えば、Ｏリング）２３０とを含んでなる。
【００３１】
また、バルブ部材２００には、長溝２０１がバルブボディ１００の内部空間１０１と連通して形成される第２連通穴８０２が形成され、バルブボディ１００の所定部位に形成される外縁空間部８０３は、以下に説明されるガス流路形成手段を構成する構成要素である。これらの第２連通穴８０２と外縁空間部８０３との具体的な連通関係は、以下のガス流路形成手段の説明で詳しく説明する。
【００３２】
次に、液化ガス容器３００には、バルブボディ１００の結着具１０２と結合と同時にその液化ガス容器３００のノズル部が開放され、液化ガス容器３００内に液状で充填されたガスがその液化ガス容器３００のノズル部を通して気化されながらバルブボディ１００の内部空間１０１に噴出されるガス、例えば、液化二酸化炭素（ＣＯ２）が充填され、このようなガスは二酸化炭素に限ることはない。
【００３３】
ここで、液化ガス容器３００のノズル部は、バルブボディ１００の結着具１０２と結合されると同時に、充填された液化ガス（例えば、液化二酸化炭素）が気化されながら噴出される構成からなるもので、これに関する詳しい説明は省略する。
【００３４】
続いて、シリンダボディ４００は、一側に内部空間４０１が形成され、他側に内部空間４０１と連通し、ピストン部材５００のピストンロッド５１０を気密にガイドするガイド穴が形成されたガイド隔壁４１０が形成され、一端部には、後述する注射液ユニット６００のロッド保護キャップ６２０と着脱可能に結合される結合部４２０が形成される。
【００３５】
シリンダボディ４００の他端にはシリンダボディキャップ４０２が結合され、その他端部を気密に閉鎖する。ここで、シリンダボディキャップ４０２の外縁には、シリンダボディ４００を気密に閉鎖可能なＯリング４０３が備えられる。
【００３６】
また、シリンダボディ４００内に備えられるピストン部材５００は、シリンダボディ４００のガイド隔壁４１０のガイド穴に沿って気密にスライド移動するピストンロッド５１０と、ピストンロッド５１０の他端部に形成され、シリンダボディ４００の内壁面に接触するピストンヘッド５２０と、ピストンヘッド５２０の外縁に備えられ、シリンダボディ４００の内面に滑り接触しながら気密性を維持するための滑りシール部材（例えば、Ｏリング）５３０とを含んでなる。
【００３７】
さらに、ピストン部材５００は、前記ピストンヘッド５２０の後面（ピストンロッド５２０の基端部が構成される側の反対面）の端部に備えられるクッション部材５４０をさらに含むことができる。クッション部材５４０は、ピストンヘッド５２０の前面（ピストンロッド５１０の基端部が構成される側の面）またはピストンヘッド５２０側に向かうガイド隔壁４１０の一面にも備えられる。
【００３８】
このように備えられるクッション部材５４０は、ピストンロッド５１０の径より相対的に大きい大径部に形成されるピストンヘッド５２０がシリンダボディ４００の内部空間４０１を強い力で瞬間スライド移動する時、ピストンヘッド５２０がシリンダボディ４００に直接的に衝突せず、そのクッション部材５４０によって緩衝されて耐久性を確保することができる。
【００３９】
次に、注射液ユニット６００は、注射液ピストンロッド６１１を有する注射器６１０と、一端部は注射器６１０が結合され、他端部はシリンダボディ４００の結合部４２０と着脱可能に結合される注射器結合部を有するロッド保護キャップ６２０とを含む。
【００４０】
ここで、シリンダボディ４００の結合部４２０とロッド保護キャップ６２０の注射器結合部との間の結合は、２つの構成要素が着脱可能に結合可能な構成であれば特に限定されるものではない。一例として、シリンダボディ４００と注射液ユニット６００との容易な着脱が可能となるように、シリンダボディ４００の結合部４2０は円筒状に形成され、前記注射器結合部は円筒状に形成されて、前記結合部４2０の外縁に篏合された後、一側に回転させてロック固定されるようにするバヨネットマウント（ｂａｙｏｎｅｔ  ｍｏｕｎｔｉｎｇ）結合方式で結合されてもよい。
【００４１】
次に、ガス流路形成手段は、バルブボディ１００の内部空間１０１と外部（外気側）とを連通させる第１連通穴８０１と、バルブボディ１００の内部空間１０１とバルブ部材２００の長溝２０１との間を連通させるようにバルブ部材２００に形成される第２連通穴８０２と、バルブボディ１００の一側に形成され、バルブ部材２００のスライド移動に伴ってバルブボディ１００の一側の内部空間１０１と連通および閉鎖関係をなすように形成される第１開閉連通路８０３と、バルブボディ１００の他側に形成され、バルブ部材２００のスライド移動に伴ってバルブボディ１００の他側の内部空間１０１と第１連通穴８０１とが連通および閉鎖関係をなすように形成される第２開閉連通路８０４と、第１開閉連通路８０３とシリンダボディ４００の他端部（すなわち、ピストンヘッド５２０の他端）側の内部空間４０１とを連通させる流入連通路８０５と、第２開閉連通路８０４とシリンダボディ４００の一端部側（すなわち、ピストンロッド５１０側）の内部空間４０１とを連通させるようにシリンダボディ４００とバルブボディ１００に形成される排出連通路８０６とを含む。
【００４２】
図３に示すように、操作ノブ３１０を押し操作してバルブ部材２００を前進させた状態で、第１開閉連通路８０３はバルブボディ１００の他側の内部空間１０１と連通し、第１開閉連通路８０３は流入連通路８０５を介してシリンダボディ４００の他端部の内部空間４０１と連通し、これによって、ピストン部材５００を前進移動させて注射液ユニット６００のピストンロッド６１１を打撃する。
【００４３】
この時、第１開閉連通路８０３は、滑りシール部材２３０が備えられたバルブ部材２００の第１延長フランジ部２１０によって第２開閉連通路８０４と気密に分離された状態になり、シリンダボディ４００の一端部の内部空間４０１のガス（空気）は、排出連通路８０６を経てバルブボディ１００の一側の内部空間１０１と連通し、該一側の内部空間１０１は第２開閉連通路８０４を経て第１連通穴８０１を通して外部に排出される。
【００４４】
一方、操作ノブ３１０に対する押し状態を解除する場合は、液化ガス容器３００から噴出されたガスの力によって、バルブ部材２００は再度後方（押し方向と反対方向）に移動し、これによって、バルブボディ１００とシリンダボディ４００との間の連通関係は閉鎖され、この状態で注射液ユニット６００を取り替えてスタンバイ状態を維持する。
【００４５】
具体的には、バルブ部材２００の前後の移動動作によるガス流路形成手段の連通関係を説明する。
【００４６】
第１連通穴８０１、第２連通穴８０２、第１開閉連通路８０３、第２開閉連通路８０４、流入連通路８０５、および排出連通路において、液化ガス容器３００から噴出されたガスは、バルブボディ１００の内部空間１０１に充填されながらバルブ部材２００を後方側（図面にて左側）に移動させ、ガスはバルブ部材２００の長溝２０１とバルブボディ１００の内部空間１０１に充填されている状態になる。この時、バルブボディ１００の内部空間１０１と第１開閉連通路８０３は、延長フランジ部（第１延長フランジ部２１０）によって閉鎖された状態を有する。この状態はスタンバイ状態（装填状態）になる。
【００４７】
このようなスタンバイ状態で、使用者が操作ノブ３１０を押してバルブ部材２００を前方側（図面にて右側）に移動させると、バルブボディ１００内の内部空間１０１と第１開閉連通路８０３とは連通し、これによって、ガスは流入連通路８０５を通してピストンヘッド５２０を加撃してピストン部材５００を移動させて注射液ユニット６００の注射液が噴出されるようにする。この時、シリンダボディ４００内の他側の内部空間４０１に存在する空気（ガス）は、排出連通路８０６と第２開閉連通路８０４を経て、第１連通穴８０１を経て外部に排出される。この状態は打撃状態（注入状態）になる。
【００４８】
その後、使用者が操作ノブ３１０を押している力を除去すれば、再度スタンバイ（装填状態）になる。
【００４９】
このように、本発明は、上記のように構成されるガス流路形成手段によって、操作ノブの操作時、液化ガス容器３００から噴出されたガスがスタンバイ状態（すなわち、装填状態）でシリンダボディ４００側に迅速かつ強い噴出圧で伝達されてピストン部材５００を加撃することにより、瞬間的でかつ、発生騒音なしに注射液を注射することができる。
【００５０】
一方、本発明の無針無痛注射装置は、押出気化ガス（充填ガス）の圧力によってピストン部材５００が瞬間移動（１秒未満）した時、ピストン部材５００のスライド移動を制御（例えば、等速移動）して、非常に短い時間であるものの、注射液ユニット６００による注射液の注入が一定速度で行われるようにする薬液注入制御手段をさらに含むことができる。
【００５１】
前記薬液注入制御手段は、一実施形態として図示しないものの、ピストン部材５００のピストンロッド５１０の長手方向に間隔をもって外縁に形成される複数のストッパ溝と、前記シリンダボディ４００のガイド長孔の一側にそのガイド長孔と直交する方向に形成される装着穴と、前記装着穴に線形移動可能に備えられる球状ストッパと、前記装着穴の上端部をカバーするように結合されるカバーキャップと、前記球状ストッパとカバーキャップとの間に備えられ、前記球状ストッパを弾性支持する弾性部材（すなわち、コイルスプリング）とを含む。
【００５２】
また、前記薬液注入制御手段に含まれる前記装着穴と前記カバーキャップとは、ねじ結合方式で結合可能であり、これによって、そのカバーキャップの時計方向または反時計方向の回転により前記弾性部材の弾性力を調整し、前記カバーキャップの外面には、そのカバーキャップの結合されるシリンダボディの外面を基準線としてそのカバーキャップの結合ピッチによる前記弾性部材の作用弾性力を表示する設計弾性表示が表示される。
【００５３】
これによって、前記カバーキャップの結合ピッチの調整により弾性部材の弾性力を調整することで、ピストンロッドに対する球状ストッパの加圧力を調整することができる。
【００５４】
このような薬液注入制御手段が構成されることで、移動速度の制御により、騒音の低減だけでなく、注射面の傷痕を減少させることができ、相対的に痛みをさらに緩和させることができる。
【００５５】
以上説明したような本発明による無針無痛注射装置によれば、空圧による注射薬物の瞬間的注入時、注射薬物を迅速に注入するのに十分な加圧力を有しかつ、発生騒音は著しく低減可能で、乳児などの被施術者に騒音による影響を最小化し、特に衝撃騒音によって死ぬこともある小さい鳥類動物などの動物への施術にも非常に有用に利用できるという利点がある。
【００５６】
また、本発明によれば、使用が便利で、打撃駆動源の効率的な利用が可能であり、人間および動物の医療だけでなく、皮膚美容など多方面に利用可能で活用性を向上させることができるという利点がある。
【００５７】
本明細書で説明される実施例と添付した図面は、本発明に含まれる技術的思想の一部を例示的に説明するに過ぎない。したがって、本明細書に開示された実施例は本発明の技術的思想を限定するためではなく説明するためのものであるので、このような実施例によって本発明の技術思想の範囲が限定されないことは自明である。本発明の明細書および図面に含まれた技術的思想の範囲内で当業者が容易に類推できる変形例と具体的な実施例はすべて本発明の権利範囲に含まれると解釈されなければならない。
【産業上の利用可能性】
【００５８】
本発明は、医療用注射器分野および動物用注射器分野に利用可能である。
【図１】
2021524798.tif 000003
【図２】
2021524798.tif 000004
【図３】
2021524798.tif 000005
【図４】
2021524798.tif 000006
【図５】
2021524798.tif 000007
【国際調査報告】
2021524798.tif 000008
2021524798.tif 000009
2021524798.tif 000010
2021524798.tif 000011
2021524798.tif 000012
2021524798.tif 000013